(57)【要約】      （修正有）【課題】多チャンネル動画の同期記録装置において、チャンネル数が増加しても互いの動画をフレーム単位で同期させた状態で記録することが可能な多チャンネル動画の同期記録装置を提供する。【解決手段】動画信号入力部１０と、Ａ／Ｄコンバータ２０と、キャプチャモジュール３０と、制御手段５０と、記憶手段４０とを有し、制御手段５０は、垂直同期タイミング信号を受信した後、各キャプチャモジュール３０に送信するキャプチャ準備コマンドを生成し、垂直同期タイミング信号の立ち上がりをトリガにして、キャプチャ準備コマンドを送信し、キャプチャモジュール３０は、キャプチャ準備コマンド受信後の垂直同期タイミング信号の立ち上がりに同期させて、動画信号のキャプチャを開始し、キャプチャデータを動画信号入力部１０にそれぞれ対応させて記憶手段４０に記憶することを特徴とする。【選択図】図１
2007228500.tif 000002
【特許請求の範囲】
【請求項１】
動画信号が同期した状態で入力される複数の動画信号入力部と、
該複数の動画信号入力部の後段にそれぞれ接続された複数のＡ／Ｄコンバータと、
該複数のＡ／Ｄコンバータの後段にそれぞれ接続された複数のキャプチャモジュールと、
前記キャプチャモジュールにバスを介して接続されている制御手段と、
記憶手段とを有する多チャンネル動画の同期記録装置であって、
前記制御手段は、
前記Ａ／Ｄコンバータにより生成される垂直同期タイミング信号を受信可能に設けられていて、
前記複数のキャプチャモジュールの各々に送信する前記動画信号のキャプチャを準備させるための複数のキャプチャ準備コマンドを生成し、
垂直同期タイミング信号の立ち上がりをトリガにして、当該垂直同期タイミング信号の立ち上がりから立ち下がりの間に前記複数のキャプチャ準備コマンドのすべてを送信し、
前記複数のキャプチャモジュールは、
前記複数のキャプチャ準備コマンドをすべて受信した直後に受信する垂直同期タイミング信号の立ち上がりに同期させて、前記動画信号のキャプチャを開始すると共に、前記バスにキャプチャデータをそれぞれ送信し、
前記記憶手段は、
前記キャプチャモジュールにより送信されたキャプチャデータを前記複数の動画信号入力部にそれぞれ対応させて記憶することを特徴とする多チャンネル動画の同期記録装置。
【請求項２】
動画信号が同期した状態で入力される複数の動画信号入力部と、
該複数の動画信号入力部の後段にそれぞれ接続された複数のＡ／Ｄコンバータと、
該複数のＡ／Ｄコンバータの後段にそれぞれ接続された複数のキャプチャモジュールと、
前記キャプチャモジュールにバスを介して接続されている制御手段と、
記憶手段とを有する多チャンネル動画の同期記録装置であって、
前記制御手段は、
前記Ａ／Ｄコンバータにより生成される垂直同期タイミング信号を受信可能に設けられていて、
前記複数のキャプチャモジュールの各々に送信する前記動画信号のキャプチャを準備させるための複数のキャプチャ準備コマンドを生成し、
垂直同期タイミング信号の立ち下がりをトリガにして、当該垂直同期タイミング信号の立ち下がりから立ち上がりの間に前記複数のキャプチャ準備コマンドのすべてを送信し、
前記複数のキャプチャモジュールは、
前記複数のキャプチャ準備コマンドをすべて受信した直後に受信する垂直同期タイミング信号の立ち上がりに同期させて、前記動画信号のキャプチャを開始すると共に、前記バスにキャプチャデータをそれぞれ送信し、
前記記憶手段は、
前記キャプチャモジュールにより送信されたキャプチャデータを前記複数の動画信号入力部にそれぞれ対応させて記憶することを特徴とする多チャンネル動画の同期記録装置。
【請求項３】
前記制御手段は、前記Ａ／Ｄコンバータにより生成される垂直同期タイミング信号を割り込みポートを介して前記Ａ／Ｄコンバータから直接受信可能に設けられていることを特徴とする請求項１または２記載の多チャンネル動画の同期記録装置。
【請求項４】
前記垂直同期タイミング信号は、前記複数のＡ／ＤコンバータのうちいずれかのＡ／Ｄコンバータから発生させたものであることを特徴とする請求項１〜３のうちのいずれか一項記載の多チャンネル動画の同期記録装置。
【発明の詳細な説明】
【技術分野】
【０００１】
本発明は、複数の動画入力を互いにフレーム単位で厳密に同期させて記録する多チャンネル動画の同期記録装置に関する。
【背景技術】
【０００２】
複数の動画入力を互いにフレーム単位で同期させて記録する多チャンネル動画の同期記録装置において、同期をとるための手段としてビデオ信号の垂直同期タイミング信号を用いるものが提供されている。
このようなビデオ信号の垂直同期タイミング信号を用いたビデオ信号記録制御装置として、例えば、特許文献１記載のようなものがある。特許文献１記載のビデオ信号記録制御装置によれば、複数の入力系統から入力された動画映像をフレーム単位で同期させて複数の記録系統に記録することができるとしている。
【特許文献１】特開２００１−１８６４６５号公報
【発明の開示】
【発明が解決しようとする課題】
【０００３】
特許文献１記載のビデオ信号記録制御装置によれば、同期している複数のビデオ入力からのビデオ信号を複数台のビデオ録画装置にフレーム単位で同期させて記録することができるが、ビデオ信号が入力された後に、デジタル化される多チャンネル動画の同期記録装置においては、ビデオ信号の入力系統の数が増加すると、いくら入力段階で同期している動画であっても必ずしもフレーム単位で同期させた状態で記録することができないという課題があった。
【０００４】
本発明は上記課題を解決すべくなされたものであり、その目的とするところは、ビデオ信号が入力された後にデジタル化される多チャンネル動画の同期記録装置において、チャンネル数が増加しても互いの動画をフレーム単位で同期させた状態で記録することが可能な多チャンネル動画の同期記録装置を提供することにある。
【課題を解決するための手段】
【０００５】
本発明に係る多チャンネル動画の同期記録装置は以下の構成を備える。
すなわち、動画信号が同期した状態で入力される複数の動画信号入力部と、該複数の動画信号入力部の後段にそれぞれ接続された複数のＡ／Ｄコンバータと、該複数のＡ／Ｄコンバータの後段にそれぞれ接続された複数のキャプチャモジュールと、前記キャプチャモジュールにバスを介して接続されている制御手段と、記憶手段とを有する多チャンネル動画の同期記録装置であって、前記制御手段は、前記Ａ／Ｄコンバータにより生成される垂直同期タイミング信号を受信可能に設けられていて、前記複数のキャプチャモジュールの各々に送信する前記動画信号のキャプチャを準備させるための複数のキャプチャ準備コマンドを生成し、垂直同期タイミング信号の立ち上がりをトリガにして、当該垂直同期タイミング信号の立ち上がりから立ち下がりの間に前記複数のキャプチャ準備コマンドのすべてを送信し、前記複数のキャプチャモジュールは、前記複数のキャプチャ準備コマンドをすべて受信した直後に受信する垂直同期タイミング信号の立ち上がりに同期させて、前記動画信号のキャプチャを開始すると共に、前記バスにキャプチャデータをそれぞれ送信し、前記記憶手段は、前記キャプチャモジュールにより送信されたキャプチャデータを前記複数の動画信号入力部にそれぞれ対応させて記憶することを特徴とする多チャンネル動画の同期記録装置である。
【０００６】
本発明においては、キャプチャ開始コマンドをキャプチャモジュールの設定コマンドであるキャプチャ開始準備コマンドと、実際にキャプチャを開始させるためのコマンドであるキャプチャ開始コマンドの送信を分離させたことにより、各キャプチャモジュールが実際にキャプチャを開始するタイミングをフレーム単位に厳密に同期させることが可能になる。また、キャプチャ開始準備コマンドを一斉に送信することにより、同期記録の開始までに要する時間を短縮させることが可能になる。
【０００７】
また他の発明は、動画信号が同期した状態で入力される複数の動画信号入力部と、該複数の動画信号入力部の後段にそれぞれ接続された複数のＡ／Ｄコンバータと、該複数のＡ／Ｄコンバータの後段にそれぞれ接続された複数のキャプチャモジュールと、前記キャプチャモジュールにバスを介して接続されている制御手段と、記憶手段とを有する多チャンネル動画の同期記録装置であって、前記制御手段は、前記Ａ／Ｄコンバータにより生成される垂直同期タイミング信号を受信可能に設けられていて、前記複数のキャプチャモジュールの各々に送信する前記動画信号のキャプチャを準備させるための複数のキャプチャ準備コマンドを生成し、垂直同期タイミング信号の立ち下がりをトリガにして、当該垂直同期タイミング信号の立ち下がりから立ち上がりの間に前記複数のキャプチャ準備コマンドのすべてを送信し、前記複数のキャプチャモジュールは、前記複数のキャプチャ準備コマンドをすべて受信した直後に受信する垂直同期タイミング信号の立ち上がりに同期させて、前記動画信号のキャプチャを開始すると共に、前記バスにキャプチャデータをそれぞれ送信し、前記記憶手段は、前記キャプチャモジュールにより送信されたキャプチャデータを前記複数の動画信号入力部にそれぞれ対応させて記憶することを特徴とする多チャンネル動画の同期記録装置である。
【０００８】
さらに、前記制御手段は、前記Ａ／Ｄコンバータにより生成される垂直同期タイミング信号を割り込みポートを介して前記Ａ／Ｄコンバータから直接受信可能に設けられていることを特徴とする。
これにより、制御手段への垂直同期タイミング信号の送信を短時間で行うことができるので、制御手段からのキャプチャ準備コマンドの送信時間に余裕を持たせることができ、同期記録可能なチャンネル数を増加することが可能になる。
【０００９】
また、前記垂直同期タイミング信号は、前記複数のＡ／ＤコンバータのうちいずれかのＡ／Ｄコンバータから発生させたものであることを特徴とする。
これにより、簡易な構成で複数の動画入力を互いにフレーム単位で厳密に同期させることができる。
【発明の効果】
【００１０】
本発明に係る多チャンネル動画の同期記録装置によれば、動画データの入力系統が多数ある場合であっても確実に互いの動画データを厳密にフレーム単位で同期させた状態で記録することが可能になる。
【発明を実施するための最良の形態】
【００１１】
以下、本実施の形態における多チャンネル動画の同期記録装置の最良の形態を説明する。図１は、本実施の形態における多チャンネル動画の同期記録装置の概略構成を示すブロック図である。
【００１２】
多チャンネル動画の同期記録装置１００は、動画信号入力部１０と動画信号入力部から取り込まれたアナログ信号をデジタル信号に変換するためのアナログデジタルコンバータ（以下、ＡＤＣという）２０と、ＡＤＣ２０によりデジタル変換されたビデオデータを取り込むキャプチャモジュール３０（図ではＣａｐＭｏｄｌと示す）と、キャプチャモジュール３０でキャプチャしたデジタルビデオデータを記憶する記憶手段４０と、多チャンネル動画の同期記録装置１００の全体動作を制御する制御手段５０を有している。記憶手段４０および制御手段５０は、キャプチャモジュール３０の後段に接続されているバス（以下、内部バスという）６０を介して接続されている。さらに、制御手段５０とある特定のＡＤＣ２０ａは、制御手段５０の割り込みポートを介して直接電気的に接続されている。
【００１３】
動画信号入力部１０は、ビデオ信号のように、アナログ映像信号と音声信号からなる外部信号が入力可能に設けられている。本実施の形態においては、動画信号入力部１０から入力される外部信号は、多チャンネル動画の同期記録装置１００に接続された図示しない複数台のアナログビデオ再生装置からのものとして説明をすすめる。
【００１４】
図１からも明らかなように、多チャンネル動画の同期記録装置１００においては、複数の動画信号入力部１０が設けられている。各動画信号入力部１０の後段側には、動画信号入力部１０から入力されたアナログビデオ信号をデジタル信号に変換するＡＤＣ２０が、それぞれの動画信号入力部１０に対応するように接続されている。また、各ＡＤＣ２０の後段側には、ＡＤＣ２０によりデジタル信号化されたビデオデータを取り込むキャプチャモジュール３０がそれぞれのＡＤＣ２０に対応して接続されている。このように、動画信号入力部１０とＡＤＣ２０とキャプチャモジュール３０はそれぞれ同じ数で複数個が配設されている。
【００１５】
各アナログビデオ再生装置（図示せず）からは、それぞれが接続されている動画信号入力部１０を介して、アナログ映像信号および音声信号が多チャンネル動画記録装置１００に順次入力された後、各外部信号入力１０の後段に接続された各ＡＤＣ２０によりデジタルデータに変換されている。各ＡＤＣ２０は、各動画信号入力部１０から入力されたアナログ映像信号をデジタル処理する際に、垂直同期タイミング信号ＶＳＹＮＣを生成する。制御手段５０と直接接続されている特定のＡＤＣ２０ａにより生成された垂直同期タイミング信号ＶＳＹＮＣは、制御手段５０の割り込みポート５０Ｐを介して制御手段５０に直接送信される。
【００１６】
各ＡＤＣ２０によりデジタルデータに変換されたデジタルビデオデータは、各ＡＤＣ２０の後段にそれぞれ接続されているキャプチャモジュール３０により、キャプチャモジュール内の記憶手段（図示せず）に取り込まれる。各キャプチャモジュール３０は、制御手段５０により生成され、内部バス６０を介して送信されたキャプチャ開始コマンドに従ってデジタルビデオ信号の取り込みを実行する。
【００１７】
各キャプチャモジュール３０により取り込まれたキャプチャデータの各々は、内部バス６０を介して接続された記憶手段４０に記憶される。記憶手段４０には、それぞれのキャプチャモジュール３０に対応させた状態でキャプチャデータが記憶される。記憶手段４０にキャプチャデータを記憶させたキャプチャモジュール３０は、内部記憶装置に記憶させていたキャプチャデータをリセットし、新しいデジタルビデオ信号をキャプチャすることが可能になる。
このようにして複数の動画信号入力部１０から入力された複数のアナログビデオ信号が複数のデジタルビデオ信号に変換されて記憶手段４０に記録されている。
【００１８】
以下に、多チャンネル動画の同期記録方法について具体的に説明する。図２は、本実施の形態における多チャンネル動画の同期記録装置の処理手順を示すフロー図である。図３は、本実施の形態における制御手段から送信されるコマンドの送信タイミングを示す説明図である。
本実施の形態において多チャンネル動画の同期記録を行う際には、各動画信号入力部１０から入力される複数のアナログビデオ信号が互いに同期していることが前提条件となる。複数のアナログビデオ信号を同期させる方法については、公知の方法を用いることができる。例えば、複数のアナログビデオカメラを互いにリンクさせ、同一の同期タイミングで動画信号を出力させれば、動画信号入力部１０に入力させる動画データを互いに同期させることができる。
【００１９】
互いに同期再生したアナログビデオ再生装置からのアナログビデオ信号は、動画信号入力部１０のそれぞれに同期した状態で入力される（ステップ１）。動画信号入力部１０から入力されたアナログビデオ信号は、後段に接続されているＡＤＣ２０によりデジタル化され、デジタルビデオ信号に変換される（ステップ２）。ＡＤＣ２０がアナログビデオ信号をデジタルビデオ信号に変換する際には、垂直同期タイミング信号ＶＳＹＮＣと水平同期タイミング信号ＨＳＹＮＣを生成する（ステップ３）。ＡＤＣ２０のうち、制御手段５０の割り込みポート５０Ｐに直接接続されている特定のＡＤＣ２０ａは、垂直同期タイミング信号ＶＳＹＮＣを生成した後、直ちに垂直同期タイミング信号ＶＳＹＮＣを制御手段５０に送信する（ステップ４）。
【００２０】
割り込みポート５０Ｐに接続されている特定のＡＤＣ２０ａから垂直同期タイミング信号ＶＳＹＮＣを受信した制御手段５０は、記憶手段４０に予め記憶されている制御プログラムに格納されている組み込み関数にアクセスすると共に、各キャプチャモジュール３０に送信するキャプチャ開始準備コマンドＣＡＰＣを生成する（ステップ５）。制御手段５０はキャプチャ開始準備コマンドＣＡＰＣを生成した後に、新たな垂直同期タイミング信号ＶＳＹＮＣの立ち上がり（以下、立ち上がり部という）を検出すると、直前に生成したキャプチャ開始準備コマンドＣＡＰＣを内部バス６０経由で各キャプチャモジュール３０に送信する（ステップ６）。
【００２１】
各キャプチャモジュール３０へのキャプチャ開始準備コマンドＣＡＰＣの送信は、図３に示すように、制御手段５０が新たな垂直同期タイミング信号ＶＳＹＮＣの立ち上がり部を検出した直後に、一括して行われる。このように、各キャプチャモジュール３０に送信するキャプチャ開始準備コマンドＣＡＰＣは垂直同期タイミング信号ＶＳＹＮＣの立ち上がり部をトリガにして一括送信されているため、同一画像フレーム内にすべてのキャプチャ開始信号ＣＡＰＣを各キャプチャモジュール３０に送信することができるのである。
制御手段５０からキャプチャ開始準備コマンドＣＡＰＣを受信した各キャプチャモジュール３０は、キャプチャ開始準備を整えた状態で待機状態に入る（ステップ７）。制御手段５０がキャプチャ開始準備コマンドＣＡＰＣを送信した直後の垂直同期タイミング信号ＶＳＹＮＣの立ち上がり部を検出すると、制御手段５０は、内部バス６０を経由して各キャプチャモジュール３０にキャプチャ開始コマンドＣＡＳＣを送信する（ステップ８）。
【００２２】
各キャプチャモジュール３０が制御手段５０から送信されたキャプチャ開始コマンドＣＡＳＣを受信すると、それぞれのキャプチャモジュール３０に接続されているＡＤＣ２０からデジタルビデオ信号のキャプチャを一斉に開始する（ステップ９）。各キャプチャモジュール３０は自らの記憶手段にキャプチャしたデジタルデータを内部バス６０経由により記憶手段４０にそれぞれのキャプチャモジュール３０に対応させて記憶させる（ステップ１０）。キャプチャモジュール３０は、自らの内部記憶手段にキャプチャしたデジタルデータを記憶手段４０に記憶させた後、キャプチャモジュール３０は、内部記憶手段に記憶されているデジタルデータを消去する（ステップ１１）。以後、制御手段５０からキャプチャ中止コマンドＣＡＱＣが送信されるまでの間、ステップ９からステップ１１を繰り返し行い、多チャンネル動画の同期記録を行う。
各キャプチャモジュール３０またはいずれかのキャプチャモジュール３０が制御手段５０からのキャプチャ中止コマンドＣＡＱＣを受信したら、各キャプチャモジュール３０は、次の垂直同期タイミング信号ＶＳＹＮＣの立ち上がり部をトリガにしてキャプチャを中止し（ステップ１２）、多チャンネル動画の同期記録を終了する。
【００２３】
以上に本実施の形態に基づいて、本願発明に係る多チャンネル動画同期記録装置１００について詳細に説明してきたが、本願発明の技術的範囲は、以上に説明した実施の形態に限定されるものではない。
例えば、本実施の形態においては、制御手段５０は、キャプチャモジュール３０へのキャプチャ開始準備コマンドＣＡＰＣの送信を、図３に示すように、ＡＤＣ２０の垂直同期タイミング信号ＶＳＹＮＣの立ち上がり部をトリガにして実行しているが、これは、本発明の効果を得ることを可能にするキャプチャ開始準備コマンドＣＡＰＣの送信時間を長くするための形態例である。本実施の形態に比べて、すべてのキャプチャ開始準備コマンドＣＡＰＣの送信時間を大幅に短縮することができれば、図４に示すように、キャプチャ開始準備コマンドＣＡＰＣの送信タイミングは、ＡＤＣ２０の垂直同期タイミング信号ＶＳＹＮＣの立ち下がり部（立ち下がり）を検出してこれをトリガにしても良いのはもちろんである。
【００２４】
要は、制御手段５０によるキャプチャ開始準備コマンドＣＡＰＣの送信が、キャプチャを開始しようとしているフレームチェンジに対応する垂直同期タイミング信号ＶＳＹＮＣの立ち上がり部をトリガとしてキャプチャ開始コマンドＣＡＳＣを生成する前に、すべてのキャプチャモジュール３０に送信を完了させることができればよいのである。すなわち、必ずしも図３、図４のように、同一フレーム内に限定されたキャプチャ開始準備コマンドＣＡＰＣの送信タイミングでなくてもよく、図５に示すような複数フレームにわたってキャプチャ開始準備コマンドＣＡＰＣを送信する形態であっても良い。
【図面の簡単な説明】
【００２５】
【図１】本実施の形態における多チャンネル動画の同期記録装置の概略構成を示すブロック図である。
【図２】本実施の形態における多チャンネル動画の同期記録装置の処理手順を示すフロー図である。
【図３】本実施の形態における制御手段から送信されるコマンドの送信タイミングを示す説明図である。
【図４】他の実施形態における制御手段から送信されるコマンドの送信タイミングを示す説明図である。
【図５】他の実施形態における制御手段から送信されるコマンドの送信タイミングを示す説明図である。
【符号の説明】
【００２６】
１０  動画信号入力部
２０  ＡＤＣ（アナログデジタルコンバータ）
２０ａ  特定のＡＤＣ
３０  キャプチャモジュール
４０  記憶手段
５０  制御手段
５０Ｐ  割り込みポート
６０  バス（内部バス）
１００  多チャンネル動画同期記録装置
ＣＡＰＣ  キャプチャ開始準備コマンド
ＣＡＳＣ  キャプチャ開始コマンド
ＣＡＱＣ  キャプチャ停止コマンド
ＶＳＹＮＣ  垂直同期タイミング信号
ＨＳＹＮＣ  水平同期タイミング信号
【図１】
2007228500.tif 000003
【図２】
2007228500.tif 000004
【図３】
2007228500.tif 000005
【図４】
2007228500.tif 000006
【図５】
2007228500.tif 000007